(57)【特許請求の範囲】
【請求項１】
ユーザによる回動操作に基づいて物理量を出力する入力装置において、
ユーザの操作によって回動するとともに、所定の回動角度を回動されるごとにパルス信号を出力する回動操作手段と、
上記回動操作手段から出力されるパルス信号が第１の時間以下の間隔か否かに基づいて、上記回動操作手段の回動速度が所定速度以下か否かを検出する速度検出手段と、
上記検出される回動速度に基づいて、出力する物理量の変化量を変更する制御手段とを備え、
上記制御手段は、上記速度検出手段によって検出される回動速度が上記所定速度以下である場合は上記物理量を第１の変化量で変化させ、上記速度検出手段によって検出される回動速度が上記所定速度を越えている場合には上記入力装置から出力される物理量を第２の変化量で変化させ、
上記第２の変化量で物理量を変化させているときに上記回動操作手段のパルス信号出力の無い期間が上記第１の時間よりも長い第２の時間以内である場合に、上記所定量を上記第２の変化量に維持する
入力装置。
【請求項２】
上記第１の変化量は上記入力装置から出力される物理量の最小分解能である
請求項１記載の入力装置。
【請求項３】
上記第２の変化量は上記第１の変化量よりも大きい請求項１又は２記載の入力装置。
【請求項４】
上記入力装置は出力されている物理量と上記第２の変化量とを関連づけるための管理情報を記憶する記憶手段を更に備え、
上記回動速度が所定速度を越えているときに上記記憶手段に記憶された管理情報に基づいて上記変化量を求める
請求項１〜３のいずれか１項に記載の入力装置。
【請求項５】
上記回動速度が所定速度を越えているときに所定の規則に基づいて上記変化量を算出する
請求項１〜４のいずれか１項に記載の入力装置。
【請求項６】
上記第２の変化量で物理量を変化させるのは上記回動操作手段からのパルス信号が所定量出力された後である
請求項１〜５のいずれか１項に記載の入力装置。
【請求項７】
上記第２の変化量で変化する出力される物理量は、各々が離間した値となる
請求項１〜６のいずれか１項に記載の入力装置。
【請求項８】
上記変化量が第１の変化量から第２の変化量に変る際に、上記第２の変化量に基づいて出力さている物理量の近傍の物理量が選択されて出力される
請求項１〜７のいずれか１項に記載の入力装置。
【請求項９】
上記第２の時間を越えてユーザによる回動操作が無いときにユーザによる回動操作が行われた場合は、上記物理量を第１の変化量で変化させる
請求項１〜８のいずれか１項に記載の入力装置。
【請求項１０】
上記入力装置は、上記回動操作手段の回動方向を検出する方向検出手段を更に備え、
上記方向検出手段によって検出される回動方向に変化があった場合には、上記物理量を第１の変化量で変化させる
請求項１〜９のいずれか１項に記載の入力装置。
【請求項１１】
上記回動操作手段は回動角度に規制のないロータリーエンコーダである
請求項１〜１０のいずれか１項に記載の入力装置。
【請求項１２】
ユーザによって操作させる回動角度に規制の無い操作子の回動に基づいて粗調整モードと微調整モードとを切り替えて再生音量を調整する再生装置において、
オーディオ信号が再生される再生手段と、
上記オーディオ信号の再生音量を調整するアッテネート手段と、
上記アッテネート手段によってレベル調整されたオーディオ信号を増幅する増幅手段と、
上記ユーザに操作される操作子に結合され所定の回動角度を回動されるごとに所定のパルス信号を出力する回動検出手段と、
上記回動操作手段から出力されるパルス信号が第１の時間以下の間隔か否かに基づいて、上記操作子の回動速度が第１の速度とこの第１の速度よりも速い第２の速度とのいずれかを検出する速度検出手段と、
上記回動検出手段から出力されるパルス信号に基づいて上記操作子の回動方向を検出する方向検出手段と、
上記微調整モード時に上記再生音量を第１の調整量で変化させる第１の調整量を出力する調整量出力手段と、
上記粗調整モード時に上記再生音量を第２の調整量で変化させるための制御情報が記憶される記憶手段と、
上記操作子が第１の速度で操作されていることが上記速度検出手段によって検出された場合には上記調整量出力手段から出力される上記第１の調整量と上記方向検出手段の検出結果とに基づいて上記アッテネート手段が上記再生音量を微調整モードで増加または減少するように調整するように制御し、上記操作子が第２の速度で操作されていることが上記速度検出手段によって検出された場合には上記記憶手段に記憶された制御情報で制御される上記第２の調整量と上記方向検出手段の検出結果とに基づいて上記アッテネート手段が上記再生音量を粗調整モードで増加または減少するように調整し、上記操作子が第２の速度で操作されて上記第２の調整量で調整しているときに、上記回動操作手段のパルス信号出力の無い期間が上記第１の時間よりも長い第２の時間以内である場合に、上記第２の調整量での調整に維持するように制御する制御手段とを備えた
再生装置。
【請求項１３】
上記再生装置は、時間を計時する計時手段を更に備え、
上記制御手段は、上記第２の時間を越えて上記操作子の操作がなされなかった後に上記操作子がユーザによって操作されたことが上記計時手段の計時に基づいて検出された場合、上記方向検出手段の検出結果と上記調整量出力手段から出力される上記第１の調整量とに基づいて上記アッテネート手段のアッテネート量を微調整モードで増加または減少するように更に制御する
請求項１２記載の再生装置。
【請求項１４】
上記制御手段は、上記第２の速度で上記操作子が回動されたことが、上記回動信号の検出が所定量以上になるまで継続して検出された場合に、上記粗調整モードへの移行を行う
請求項１２〜１３のいずれか１項に記載の再生装置。
【請求項１５】
ユーザによって操作させる回動角度に規制の無い操作子の回動に基づいて粗調整モードと微調整モードとを切り替えて再生音量を調整する音量調整方法において、
上記操作子の回動に基づいて出力するパルス信号が第１の時間以下の間隔か否かに基づいて、上記操作子の回動速度が第１の速度とこの第１の速度よりも速い第２の速度のいずれかを検出すると共に上記操作子の回動方向を検出するステップと、
上記回動速度を所定の速度と比較するステップと、
上記比較により上記操作子の回動が上記第１の速度であると判断された場合には、上記再生音量を第１の調整量と上記検出された回動方向に基づいて微調整モードで調整するステップと、
上記比較により上記操作子の回動が上記第２の速度と判断された場合には、上記再生音量を第２の調整量と上記検出された回動方向に基づいて粗調整モードで調整するステップと、
上記粗調整モードで調整しているときに、上記操作子の回動操作によるパルス信号出力の無い期間が上記第１の時間よりも長い第２の時間以内である場合に、上記粗調整モードに維持するステップとを備える
音量調整方法。
【請求項１６】
上記音量調整方法は、
上記第２の時間を越えた場合には上記再生音量の調整モードを上記微調整モードに設定するステップとを更に備える
請求項１５記載の音量調整方法。
【発明の詳細な説明】
【０００１】
【発明の属する技術分野】
本発明は、例えばステレオ再生システムに使用されるオーディオアンプ装置のり音量調整に適用して好適な入力装置及び再生装置、並びにこれらの装置に適用して好適な音量調整方法に関する。
【０００２】
【従来の技術】
従来、内蔵されたオーディオ信号源や、接続されたオーディオ信号源から供給されるオーディオ信号を、スピーカを駆動するための増幅処理を行うようにしたオーディオ出力装置が各種開発されている。このような装置は、オーディオアンプ装置などと称され、音量調整用操作部の操作や、リモートコントロール装置からの音量調整指令の伝送で、接続されたスピーカから出力される音量を調整するための出力レベル調整を行うようにしてある。
【０００３】
従来のこの種の装置での音量調整としては、例えば摘みと称される部材で構成される操作手段を回転させることで、回転量に対応した音量の調整が行えるようにしたものが一般的である。この場合、最も単純な構成としては、摘みの回転軸を、いわゆるボリュームと称される可変抵抗器の回転軸と直結させて、その抵抗値の変化で音量調整を行うことが考えられる。
【０００４】
これに対して、比較的高級な機種の場合には、回転自在に構成された操作部材である回転摘みの回転角を、ロータリーエンコーダで検出し、その検出した回転角に比例して、装置の内部の音量調整回路で設定する音量をステップ状に変化させるデジタル的な制御が行われている。
【０００５】
【発明が解決しようとする課題】
ところが、従来の回転摘みとロータリーエンコーダを組み合わせたタイプの音量調整機構では、音量のステップ的な変化を行う際の、その変化させるステップ数の設定を良好に行うのが困難であった。即ち、回転摘みとロータリーエンコーダを組み合わせたタイプの音量調整機構とした場合に、回転摘みの所定角度として例えば１５°の回転毎に、１ｄＢステップで音量を変化させて、０ｄＢ，−１ｄＢ，−２ｄＢ，‥‥−９５ｄＢ，−∞の９７ステップで音量調整ができるようにすると、１ｄＢステップで細かい音量調整が可能であるが、最小レベルから最大レベルまで音量を変化させるのに、例えば１ステップを１５°とすると、回転摘みを４周も回転させる必要があり、音量調整に時間がかかってしまう。
【０００６】
この問題点を解決するためには、例えばボリュームカーブと称される音量の変化特性を予め所定のカーブに設定して、良く聞く音量の範囲では１ステップで変化する音量を少なくし、それ以外の範囲では１ステップで変化する音量を大きくして、ボリュームの最小値から最大値までのステップ数を少なくしたものが実用化されている。このようにすることで、例えば回転摘みを１周回転させる程度で、最小レベルから最大レベルまで音量を変化させることができるようになり、音量調整を迅速に行うことが可能になる。
【０００７】
しかしながら、ボリュームカーブを使用した場合には、一義的にボリュームカーブが設定されていると、ユーザが設定したいｄＢ値が設定できない場合があり、音量の微調整ができない問題があった。
【０００８】
なお、ここでは回転摘みを使用した音量調整時の問題について述べたが、同様の回転摘みを使用した各種調整を行う場合には、音量調整の場合と同様に、任意の位置への迅速な調整と微調整とを両立させるのが困難である問題があった。
【０００９】
本発明の目的は、音量調整などの回転摘みを使用した調整を行う場合に、その調整が、迅速に所望のレベルに調整できるようにすると共に、任意のレベルでの微調整ができるようにすることにある。
【００１０】
【課題を解決するための手段】
本発明の入力装置は、ユーザによる回動操作に基づいて物理量を出力する入力装置において、ユーザの操作によって回動するとともに、所定の回動角度を回動されるごとにパルス信号を出力する回動操作手段と、上記回動操作手段から出力されるパルス信号が第１の時間以下の間隔か否かに基づいて、上記回動操作手段の回動速度が所定速度以下か否かを検出する速度検出手段と、上記検出される回動速度に基づいて、出力する物理量の変化量を変更する制御手段とを備え、上記制御手段は、上記速度検出手段によって検出される回動速度が上記所定速度以下である場合は上記物理量を第１の変化量で変化させ、上記速度検出手段によって検出される回動速度が上記所定速度を越えている場合には上記入力装置から出力される物理量を第２の変化量で変化させ、上記第２の変化量で物理量を変化させているときに回動操作手段のパルス信号出力の無い期間が上記第１の時間よりも長い第２の時間以内である場合に、上記所定量を上記第２の変化量に維持するようにしたものである。
【００１１】
また本発明の再生装置は、ユーザによって操作させる回動角度に規制の無い操作子の回動に基づいて粗調整モードと微調整モードとを切り替えて再生音量を調整する再生装置において、オーディオ信号が再生される再生手段と、オーディオ信号の再生音量を調整するアッテネート手段と、アッテネート手段によってレベル調整されたオーディオ信号を増幅する増幅手段と、ユーザに操作される操作子に結合され所定の回動角度を回動されるごとに所定のパルス信号を出力する回動検出手段と、回動操作手段から出力されるパルス信号が第１の時間以下の間隔か否かに基づいて、上記操作子の回動速度が第１の速度とこの第１の速度よりも速い第２の速度とのいずれかを検出する速度検出手段と、回動検出手段から出力される回動信号に基づいて操作子の回動方向を検出する方向検出手段と、微調整モード時に再生音量を第１の調整量で変化させる第１の調整量を出力する調整量出力手段と、粗調整モード時に再生音量を第２の調整量で変化させるための制御情報が記憶される記憶手段と、操作子が第１の速度で操作されていることが速度検出手段によって検出された場合には調整量出力手段から出力される第１の調整量と方向検出手段の検出結果とに基づいてアッテネート手段が再生音量を微調整モードで増加または減少するように調整するように制御し、操作子が第２の速度で操作されていることが速度検出手段によって検出された場合には記憶手段に記憶された制御情報で制御される第２の調整量と方向検出手段の検出結果とに基づいてアッテネート手段が再生音量を粗調整モードで増加または減少するように調整し、操作子が第２の速度で操作されて第２の調整量で調整しているときに、回動操作手段のパルス信号出力の無い期間が第１の時間よりも長い第２の時間以内である場合に、第２の調整量での調整に維持するように制御する制御手段とを備えたものである。
【００１２】
また本発明の音量調整方法は、ユーザによって操作させる回動角度に規制の無い操作子の回動に基づいて粗調整モードと微調整モードとを切り替えて再生音量を調整する音量調整方法において、操作子の回動に基づいて出力するパルス信号が第１の時間以下の間隔か否かに基づいて、操作子の回動速度が第１の速度とこの第１の速度よりも速い第２の速度のいずれかを検出すると共に操作子の回動方向を検出するステップと、比較により操作子の回動が第１の速度であると判断された場合には、再生音量を第１の調整量と検出された回動方向に基づいて微調整モードで調整するステップと、比較により操作子の回動が第２の速度と判断された場合には、再生音量を第２の調整量と検出された回動方向に基づいて粗調整モードで調整するステップと、粗調整モードで調整しているときに、操作子の回動操作によるパルス信号出力の無い期間が第１の時間よりも長い第２の時間以内である場合に、粗調整モードに維持するステップとを備えたものである。
【００１３】
このようにしたことで、そのときの回転子の操作速度により、細かいステップで微調整ができる微調整モードと、少ないステップ数で迅速に調整が行える粗調整モードとを良好に切り替えて使用できるようになる。
【００１４】
【発明の実施の形態】
以下、添付図面を参照して、本発明の一実施の形態について説明する。
【００１５】
本例においては、ステレオ再生システムに組み込まれるオーディオアンプ装置に適用したものであり、特に本例の場合には、オーディオチューナが一体化されたレシーバ装置と称される機器に適用したものである。
【００１６】
図１は、本例のレシーバ装置の構成例を示した図である。図中１００はレシーバ装置全体を示し、このレシーバ装置１００にはアンテナ１０１が接続してあり、レシーバ装置１００内のチューナ１０２で任意の周波数のラジオ放送を受信できるようにしてある。そして、チューナ１０２で受信して出力されるオーディオ信号は、セレクタ１０３に供給する。また、本例のレシーバ装置１００は、アナログオーディオ入力端子１０４を備え、この入力端子１０４に得られるアナログオーディオ信号を、セレクタ１０３に供給する。セレクタ１０３では、このレシーバ装置１００のシステムコントローラ１２０の制御に基づいて、いずれかのオーディオ信号を選択して出力する。このセレクタ１０３での選択が、入力オーディオ信号源の選択に相当する。但し、本例のレシーバ装置１００は、デジタルシリアル通信バスであるＩＥＥＥ（The Institute of Electrical and Electronics Engineers ）１３９４方式のバスラインを接続できる構成としてあり、このバスラインを介して伝送されるオーディオデータを入力しても選択できるようにしてある。このＩＥＥＥ１３９４方式のバスラインが接続される構成については後述する。
【００１７】
セレクタ１０３で選択されたオーディオ信号は、アナログ／デジタル変換器１０５に供給して、デジタルオーディオデータに変換する。アナログ／デジタル変換器１０５で変換されたデジタルオーディオデータは、デジタルシグナルプロセッサ（以下ＤＳＰと称する）１０６に供給して、音質調整，残響付加処理などのオーディオ処理を行う。このＤＳＰ１０６での処理状態は、システムコントローラ１２０からの指令で設定される。
【００１８】
そして、ＤＳＰ１０６で処理されたデジタルオーディオデータを、デジタル／アナログ変換器１０７に供給して、２チャンネルのアナログオーディオ信号に変換する。変換されたアナログオーディオ信号は、ボリューム回路１０８に供給されて、音量調整が行われる。このボリューム回路１０８での音量調整は、システムコントローラ１２０から供給される制御データを、デジタル／アナログ変換器１２３でアナログ変換した信号に基づいて実行される。この音量調整の詳細については後述する。
【００１９】
ボリューム回路１０８で音量調整されたオーディオ信号は、増幅回路１０９に供給され、スピーカを駆動するための出力に増幅され、その増幅されたオーディオ信号がスピーカ端子１１０に供給され、このスピーカ端子１１０に接続されたスピーカ装置１１１Ｌ，１１１Ｒからオーディオが出力される。ここでは左チャンネル用と右チャンネル用の２個のスピーカ装置１１１Ｌ，１１１Ｒを接続した例としてあるが、その他のチャンネル構成のスピーカ装置を接続しても良い。なお、図１においては説明を簡単にするために１系統のみの信号の処理ブロックを記述しているが、各部は出力のチャンネル数に合わせて複数用意されるようにしても良い。
【００２０】
また、このレシーバ装置１００は、ＩＥＥＥ（The Institute of Electrical and Electronics Engineers ）１３９４方式で規定されたバスラインと接続する機能を備え、そのためにバスライン用インターフェース部１１４を備える。そして、セレクタ１０３で選択されてアナログ／デジタル変換器１０５が出力するデジタルオーディオデータを、変調回路１１２でバスライン伝送用に変調した後、インターフェース部１１４に供給して、ＩＥＥＥ１３９４方式で規定されたフォーマットのデータとし、接続されたバスラインで他の機器に伝送できるようにしてある。また、バスラインを介してインターフェース部１１４が受信したデータに含まれるオーディオデータを、復調回路１１３でデコードし、そのデコードされたオーディオデータをＤＳＰ１０６に供給して出力処理できるようにしてある。インターフェース部１１４には、ＲＡＭ１１５が接続してある。
【００２１】
なお、ＩＥＥＥ１３９４方式のバスラインでは、オーディオデータなどのストリームデータの他に、各種制御コマンド及びそのレスポンスを伝送できる構成としてあり、システムコントローラ１２０で生成されたコマンドやレスポンスをインターフェース部１１４からバスラインに送出できると共に、インターフェース部１１４がバスライン側から受信したコマンドやレスポンスを、システムコントローラ１２０に供給して、システムコントローラ１２０で判断できる構成としてある。ＩＥＥＥ１３９４方式のバスラインでのコマンドやレスポンスの伝送は、例えばＡＶ／Ｃコマンドとして規定されたものが適用可能である。このＡＶ／Ｃコマンドを適用することで、例えばバスラインを介してレシーバ装置を、ディスク再生装置，記録再生装置などの他のオーディオ機器と接続させてオーディオ再生システムを組ませて、そのシステム内の機器の制御を、レシーバ装置１００内のシステムコントローラ１２０が統一的に行うことも可能である。
【００２２】
システムコントローラ１２０は、このレシーバ装置１００の各部の動作を制御する中央制御ユニット（ＣＰＵ）として機能する処理部であり、各種プログラムや設定データなどが記憶されたフラッシュメモリ１２１と、演算処理に使用するＲＡＭ１２２とが内蔵されている。後述する音量制御に関するデータについても、フラッシュメモリ１２１に記憶させてある。
【００２３】
また、このレシーバ装置１００は、各種操作キーで構成される操作部１３１と、音量調整用のボリュームエンコーダ部１３２とを備え、これらの操作をシステムコントローラ１２０が判断して、対応した動作を設定するようにしてある。また、図示しないリモートコントロール装置からの赤外線信号を赤外線受光部１３３が受光した際にも、その受光した指令に対応した動作をシステムコントローラ１２０が実行するようにしてある。ボリュームエンコーダ部１３２は、回転自在な操作摘みと、その摘みの回転を検出する回路部品とで構成されるものであり、このボリュームエンコーダ部１３２の操作摘みをユーザが回転させることで、スピーカ端子１１０に接続されたスピーカ装置から出力されるオーディオ信号の音量が調整できるものである。操作部１３１を構成する各種キーや、ボリュームエンコーダ部１３２の操作摘みについては、例えば装置の前面パネルに配置してある。
【００２４】
さらに、システムコントローラ１２０には、表示制御部１３４が接続してあり、この表示制御部１３４により表示部１３５での表示制御を行うようにしてある。表示部１３５は、例えば装置の前面パネルに配置された螢光表示管で構成されて、このレシーバ装置の動作状況、又はレシーバ装置とバスラインを介して接続された他の装置の動作状況を、文字，図形，数字などで表示できるようにしてある。
【００２５】
次に、本例のレシーバ装置１００での音量調整に関する処理構成について、図２を参照して説明する。ボリュームエンコーダ部１３２は、ユーザが左右何れの方向へも自由に回転操作を行うことができる回転摘み１３２ａを備えて、その回転摘み１３２ａの回転の一定角度毎にパルス信号を出力するエンコーダが内蔵されている。ここでは回転摘み１３２ａが１５°回転する毎に、１回パルス信号を出力する構成としてある。
【００２６】
そして、回転摘み１３２ａが回転したとき、その回転方向を回転方向検出回路１３２ｂで検出し、その回転速度をパルス速度検出回路１３２ｃで検出する。パルス速度検出回路１３２ｃでは、回転摘み１３２ａが出力するパルス信号の周期を検出する。両検出回路１３２ｂ，１３２ｃの検出出力は、システムコントローラ１２０に供給する。
【００２７】
システムコントローラ１２０は、両検出回路１３２ｂ，１３２ｃの検出出力から、回転摘み１３２ａの回転状態、すなわちユーザの操作状態を判断し、その判断に基づいて音量調整用の制御データを生成させる。この制御データは、デジタル／アナログ変換器１２３でアナログの電圧信号に変換され、そのアナログ信号をボリューム回路１０８に供給することで、制御データで示される値の音量に設定される構成としてある。ここで、システムコントローラ１２０による音量の制御は、ステップ的に、即ち段階的に行われるようにしてあり、そのステップの設定に関するデータが、システムコントローラ１２０内のフラッシュメモリ１２１に記憶させてある。
【００２８】
図３は、このフラッシュメモリ１２１に記憶されたステップ値とボリューム値との対応データの例を示した図である。本例の場合には、第１の音量調整モードと第２の音量調整モードとの２つのモードが用意されていて、要素番号Ｔ１として示したのは、第１の音量調整モードでのステップ数とボリューム値との対応であり、要素番号Ｔ２として示したのは、第２の音量調整モードでのステップ数とボリューム値との対応である。第１の音量調整モードは、１ステップで一定の値ずつ微調整ができるモードであり、第２の音量調整モードは、予め設定されたボリュームカーブに基づいて調整されるモードである。
【００２９】
第１の音量調整モードの場合には、０ｄＢから１ｄＢ刻みで、−１ｄＢ，−２ｄＢ，‥‥−９５ｄＢ，−∞の９７ステップで音量調整ができるモードである。図３の中の第１の音量調整モードに対応した要素番号Ｔ１のステップ値は、最小レベルである−∞をステップ値０としてあり、以下−９５ｄＢから１ｄＢ下がる毎に、ステップ値１，２‥‥と設定してあり、最大レベルである０ｄＢのとき、ステップ値９６としてある。この場合調整ステップの１ｄＢをボリューム値の最小分解能として調整している。
【００３０】
第２の音量調整モードの場合には、０ｄＢから−１０ｄＢまでは１ｄＢ刻みでステップを設定してあり、−１０ｄＢから−６０ｄＢまでは２ｄＢ刻みでステップを設定してあり、−６０ｄＢから−９５ｄＢまでは５ｄＢ刻みでステップを設定してあり、さらに−９５ｄＢの次のステップとして、最小レベルである−∞となる。図３の中の第２の音量調整モードに対応した要素番号Ｔ２のステップ値は、最大レベルである−∞をステップ値０としてあり、以下−９５ｄＢをステップ値１として、最大レベルである０ｄＢのとき、ステップ値４３としてある。
【００３１】
この第２の音量調整モードで設定されるボリュームカーブを図に示すと、図４に示す状態となる。図４では横軸をステップ数、縦軸をｄＢ値としてあり、図３のステップ数とボリューム値に対応させてあるので、特性カーブの右上が最小レベルの音量のときであり、特性カーブの左下が最大レベルの音量のときであり、３段階に変化特性が変化する。
【００３２】
図２の説明に戻ると、このように構成されるステップ値とボリューム値との対応データを使用して、システムコントローラ１２０内でボリュームエンコーダ部１３２の回転状況から、音量の値であるボリューム値を算出し、その算出したボリューム値を音量制御データとしてデジタル／アナログ変換器１２３に出力する。算出されたボリューム値は、システムコントローラ１２０内のＲＡＭ１２２の所定の領域に保持させておく。
【００３３】
システムコントローラ１２０が出力する音量制御データは、デジタル／アナログ変換器１２３でアナログの電圧値に変換され、その電圧値の信号が、ボリューム回路１０８の制御端子に供給される。ボリューム回路１０８では、供給される電圧信号に対応したオーディオ信号のボリューム値を設定する。
【００３４】
ここで、ボリューム回路１０８とその前段の構成について説明すると、本例の場合には、オーディオ信号として左右２チャンネルの信号を使用する構成としてあるので、デジタル／アナログ変換器として、左チャンネル用のデジタル／アナログ変換器１０７Ｌと右チャンネル用のデジタル／アナログ変換器１０７Ｒとが用意され、ＤＳＰ１０６の左チャンネル出力１０６Ｌと右チャンネル出力１０６Ｒとが、それぞれチャンネル別にアナログ信号に変換される。
【００３５】
各デジタル／アナログ変換器１０７Ｌ，１０７Ｒでは、アナログ信号を差動信号として出力する構成としてあり、ボリューム回路１０８では、その差動信号を差動アンプ１５１Ｌ，１５１Ｒに供給して、各チャンネル毎に１系統の信号とする。そして、各チャンネルの差動アンプ１５１Ｌ，１５１Ｒの出力を、各チャンネル毎に用意された可変抵抗器１５２Ｌ，１５２Ｒに供給し、その各チャンネルの可変抵抗器１５２Ｌ，１５２Ｒで、音量制御信号の電圧値に基づいたレベル調整を行い、その調整された信号を、各チャンネル毎に増幅器１０９の入力端子１０９Ｌ，１０９Ｒに供給する。なお、デジタル／アナログ変換器１２３でアナログ変換された音量制御信号は、バッファアンプ１２４を介して２つの可変抵抗器１５２Ｌ，１５２Ｒに供給される構成としてあり、各チャンネルの可変抵抗器１５２Ｌ，１５２Ｒでは同じボリューム値が設定されるように構成してある。
【００３６】
次に、システムコントローラ１２０内で、ボリュームエンコーダ部１３２の操作状況から、ボリューム値を設定させる処理を、図５のフローチャートを参照して説明する。まずシステムコントローラ１２０では、ボリュームエンコーダ部１３２から供給されるデータで、ボリュームエンコーダ部１３２の回転摘み１３２ａの回動方向と回動速度をステップＳ１１において算出する。そしてその算出から、回動方向に変化があったか否かステップＳ１２において判断し、回動方向がその直前の回動方向から変化したと判断されたとき、ステップＳ１３に進み、図３に示す対応テーブルＴ１，Ｔ２の内で、第１の音量調整モード、即ち微調整モード用のテーブルＴ１を使用する設定にする。
【００３７】
また、ステップＳ１２で回動方向に変化がないと判断したとき、ステップＳ１４において回動速度に一定の条件を満たす変化があったか否か判断する。このときに変化があると判断できる条件の詳細については後述する。この判断で、回動速度に変化があったと判断したとき、ステップＳ１５において使用するテーブルを、違うモードのものに変化させる。即ち、第１の音量調整モードに設定されていた場合、第２の音量調整モード用のテーブルに設定を変化させ、第２の音量調整モードに設定されていた場合、第１の音量調整モード用のテーブルに設定を変化させる。
【００３８】
そして、ステップＳ１３で使用テーブルを微調整用に変化させたときと、ステップＳ１４で回動速度に変化がないと判断できたときと、ステップＳ１５で使用するテーブルのモードを変化させたときには、ステップＳ１６に進み回動方向が音量を増す方向であるか否か判断する。ステップＳ１６において回動方向が音量を増す方向であると判断されたとき、ボリュームエンコーダ部１３２内のパルス検出回路１３２ｃが１パルス検出する毎に、ステップＳ１７において現在設定されているボリューム値から、使用するテーブルの中で音量を大きくする方向に１ステップ進めたボリューム値が選択され、その選択したボリューム値に対応した音量制御データが出力される。
【００３９】
また、ステップＳ１６の判断で、音量を増す方向でないと判断されたとき、即ち音量を小さくする方向であると判断したとき、ボリュームエンコーダ部１３２内のパルス検出回路１３２ｃが１パルス検出する毎に、ステップＳ１８において現在設定されているボリューム値から、使用するテーブルの中で音量を小さくする方向に１ステップ進めたボリューム値が選択され、その選択されたボリューム値に対応した音量制御データが出力される。
【００４０】
このようにしてボリューム値が設定されるが、ステップＳ１４でパルス速度が変化したと判断される場合の詳細を、図６のフローチャートを参照して説明する。まず、パルス検出回路１３２ｃで検出されるパルス間隔が、ステップＳ２１において８０ｍｓ以下であるか否かが判断される。なお、このとき同時に、ボリュームカーブモードが設定されている最中であった場合には、パルス間隔が３２０ｍ未満か否かについても判断する。
【００４１】
つまり、（パルス間隔＜８０ｍｓ）or（（ボリュームカーブモード中）and （パルス間隔＜３２０ｍｓ））の式が評価されることになる。
【００４２】
そして、ステップＳ２１において、パルス間隔が８０ｍｓ以下であると判断されたとき、ステップＳ２２において高速パルス認識回数の値を１つ加算させ、ボリュームカーブモードフラグが１に設定される。また、ステップＳ２１において、パルス間隔が８０ｍｓ以下でないと判断されたとき、ステップＳ２３において高速パルス認識回数の値を０にし、ボリュームカーブモードフラグが０に設定される。
【００４３】
そして、ステップＳ２２，Ｓ２３の処理を行った後、ステップＳ２４において高速パルス認識回数の値が２を越えたか否か判断される。この判断で、高速パルス認識回数の値が２を越えたとき、ステップＳ２５においてボリュームカーブモード、即ち第２の音量調整モードでボリューム値のデータを変更させるモードが設定される。また、高速パルス認識回数の値が２を越えないとき、ステップＳ２６において微調整モード、即ち第１の音量調整モードでボリューム値のデータを変更させるモードが設定される。
【００４４】
なお、ステップＳ２１でボリュームカーブモードが設定されている最中で且つ、パルス間隔が３２０ｍ未満である場合には、ボリュームカーブモードを維持させるようにされている。
【００４５】
このようにして、モード設定が行われることで、音量調整モードの状態の遷移は、図７に示すようにされる。即ち、ボリュームエンコーダを構成する回転摘みが回動し始めたときには、第１の音量調整モードであるボリューム微調整モードＭ１が設定され、そのボリューム微調整モードＭ１が設定されているときには、８０ｍｓ以内の短い間隔でのパルスが発生しても、その発生回数が３回以内であるときには、ボリューム微調整モードＭ１が維持される。そして、８０ｍｓ以内の短い間隔でのパルスが４回連続して発生したことが検出されたとき、第２の音量調整モードであるボリュームカーブモードＭ２に変化する。このボリュームカーブモードＭ２が一度設定された後には、３２０ｍｓ未満でパルスが発生している限り、ボリュームカーブモードＭ２が維持される。そして、パルス間隔が３２０ｍｓ以上となったとき、ボリューム微調整モードＭ１にボリューム調整モードは変化する。
【００４６】
また、図５のフローチャートで、ステップＳ１６，ステップＳ１７，ステップＳ１８の処理が行われることで、ボリューム調整モードが変化する際には次の処理が行われる。変更後のボリューム値が、ボリューム調整モードの変更するときのボリュームエンコーダの回動方向、即ちボリュームを上げる方向か下げる方向かに対応して新たに使用されるテーブルにおいて要素番号で１ステップ変化した値になるように制御される。このように制御することで、モードの変更で新たに設定されたボリューム値と要素番号との対応を示すテーブル内に対応したボリューム値がない場合の音量の設定が良好になる。即ち、例えば図８に示すように、第１のモードであるボリューム微調整モードであるボリューム値が設定されている状況で、第２のモードであるボリュームカーブモードに変化させて、１ステップ変化させる必要が生じたとき、そのときの回動方向が音量を上げる方向であった場合、第２のモードで現在のボリューム値から音量を上げる方向で最も近いボリューム値となるステップ値を選ぶ。この場合たとえばテーブル１のｃのボリューム値であった場合、変更後のボリューム値はテーブル２におけるａに設定されることになる。また、第１のモードであるボリューム微調整モードであるボリューム値が設定されている状況で、第２のモードであるボリュームカーブモードに変化させて、１ステップ変化させる必要が生じたとき回動方向が音量を下げる方向であった場合、第２のモードで現在のボリューム値から音量を下げる方向で最も近いボリューム値となるステップ値を選ぶ。この場合変更前のボリューム値がテーブル１における値ｃであった場合、変更後のボリューム値としてはテーブル２の値ｂが設定されることになる。このようにすることで、モード変更時の音量変化が良好なものになる。
【００４７】
ここで、以上説明した処理でパルス出力に応じてモードが変更する状態の例を、図９に示す。まず、最初の状態ではボリューム微調整モードＭ１が設定され、１パルスが検出される毎に、１ステップずつボリューム値が変化する。このボリューム微調整モードＭ１では、パルス間隔ｔ１が８０ｍｓ以上であるとき、そのモードが維持される。図９の場合、Ｔ１の期間はパルス間隔が８０ｍｓ以上で検出される状態にある。次にＴ２の期間のようにこの状態で、例えば３回連続したパルス間隔ｔ２，ｔ３，ｔ４が８０ｍｓ以内となるような高速での回転摘みの操作があると、ボリュームカーブモードＭ２に変化する。このボリュームカーブモードＭ２が一度設定されると、その間のパルス間隔ｔ５，ｔ６が３２０ｍｓ未満である限りボリュームカーブモードＭ２が維持される。図９の場合であれば、Ｔ３の期間においては各パルスが検出される間隔ｔ５，ｔ６においても３２０ｍｓ未満であるためボリュームカーブモードが維持されることになる。そして、パルス間隔ｔ７が３２０ｍｓ以上となった時点でボリューム微調整モードＭ１に戻る。
【００４８】
このようにして音量調整モードが設定されることで、回転摘みを操作し始めた最初の状態では、その摘みが１５°回転する毎に、１ｄＢずつボリューム値が増減するボリューム微調整モードとなり、回転操作に対応した音量の微調整が可能になる。そして、このボリューム微調整モードで８０ｍｓ以内の間隔で４パルス出力される状態になるような高速での回転操作があると、ボリュームカーブモードに変化し、ステップ数の少ない高速でボリューム値が変化する状態になり、例えば急激にボリュームを上げたり下げたりする処理が、少ない回転操作で実現できるようになる。なお、８０ｍｓ以内の間隔で４パルス出力される状態になって、初めてボリュームカーブモードに変化するようにしたことで、一時的に８０ｍｓ以内の間隔でのパルスがあっても、ボリュームカーブモードには変化せず、誤ってモードが変化するのを効果的に防止できる。
【００４９】
そして、このボリュームカーブモードが一度設定された後には、比較的長い時間である３２０ｍｓ以上のパルス間隔が検出されたとき、初めてボリューム微調整モードに戻るようにしたことで、モードの設定が不安定になることがない。即ち、回転摘みを操作する場合には、ユーザが指で摘みを持って操作することになるが、通常の操作では、高速で回転させる場合であっても、一度ある程度の角度回転させた後、摘みを持っている指を、摘みから離して、持ち替える動作を行ってから、再度高速で回す必要があり、高速で回転させていても、一時的にパルス間隔が長くなる状態が存在する。本例の場合には、このような持ち替える動作があっても、ボリューム微調整モードに戻る条件を３２０ｍｓ以上としたことで、３２０ｍｓ未満に持ち替える動作が完了することによってボリュームカーブモードが維持され、高速で調整できるモードが良好に維持される。
【００５０】
なお、ここまで説明したパルス間隔の値である８０ｍｓや３２０ｍｓは一例であり、これらの値以外の値の判断でモード設定を行うようにしても良い。また、各モードのステップ値とボリューム値との対応についても、図３は一例を示したものであり、その他の値を設定しても良い。また、ボリュームカーブモードのカーブ特性についても、その他の特性として、例えばより少ないステップ数で最小レベルが最大レベルまで変化するようにしても良い。
【００５１】
また、上述した実施の形態において、ボリュームカーブモードのカーブ特性をテーブルとして持たずカーブ特性を示す計算式によってステップ数を算出するようにしても良い。
【００５２】
さらに、上述した実施の形態では、ボリュームカーブモードを１種類としているが、これに限定されず、複数のボリュームカーブモードを備えるとともに、パルス間隔によるモードの選択の範囲を細分化してより細かくボリュームカーブモードをつまみの回転速度に応じて変化させるようにしても良い。また、微調整モードにおいては、図３に示したようなテーブルを持たずに変更前の設定値に所定の増分量または減衰量を加えまたは減じることによって新たな設定値を求めるようにしても良い。
【００５３】
また、上述した実施の形態では、レシーバ装置と称されるアンプ装置とチューナとが一体化されたオーディオ機器に適用したが、その他のオーディオ機器のボリュームコントロールにも適用できる。また、オーディオ出力機能を備えたその他の機器、例えばビデオ機器における音量調整処理に、上述した実施の形態で説明した処理を適用するようにしても良い。さらに、レシーバ装置のチューナの周波数同調を行うための回転操作手段に適用することもできる。この場合周波数の離れた放送局への同調を行う場合は、短い間隔でパルスが発生するようにつまみを回して、より荒い周波数ステップで新たに選局したい周波数近傍まで近づき、その後ゆっくりとつまみを回して長い間隔でパルスが発生するようにして周波数の微調整を行うことが可能とされる。
【００５４】
【発明の効果】
本発明によると、そのときの回転型操作手段の操作速度により、細かいステップ数で微調整ができる調整モードと、少ないステップ数で迅速に調整が行える調整モードとを切り替えて使用できるようになり、迅速な操作性と微調整が可能な操作性とが両立できるようになる。特に、調整モードの切り替えは、調整を操作する回転型操作手段の操作速度により自動的に行われるので、モード切替えのための操作が別途必要なく、良好な操作性が確保される。
【００５５】
この場合、制御手段は、回転検出手段が回転を検出し始めたとき、微調整ができる第１の調整モードで出力音量を調整させ、その後、第１の時間以上、第２の回転状態を検出したとき、第２の調整モードに変化させるようにしたことで、第１の時間を良好に設定することで、第１の調整モードが設定されているときに、一時的に回転速度が速くなるようなことがあっても、第１の調整モードが維持され、モードが誤って切替わって音量が大きく変化するようなことを防止できる。
【００５６】
また、制御手段は、第２の音量調整モードを設定して、回転検出手段での第２の回転状態の検出が第２の時間以内にないとき、第２の調整モードを維持させ、第２の時間を越えて第２の回転状態が検出できないとき、第１の調整モードに変化させることで、第２の時間を良好に設定することで、例えば第２の調整モードが設定されているときに、操作手段を持ち替える動作を行うために一時的に操作されないときがあっても、第２の調整モードが維持されて、迅速な操作性が維持される。
【００５７】
また、制御手段は、第１の調整モードから第２の調整モードに変化させるとき、回転検出手段で検出した回転方向で、最も近似した値の音量を設定させることで、音量などの設定状況がそのときの操作状況に応じた最も適切な状態になる。
【００５８】
また、回転型操作手段は、所定角度の回転毎にパルスを出力するパルスエンコーダとして構成され、回転検出手段は、パルスの周期から回転状態を検出する構成としたことで、パルスを発生させるパルスエンコーダと、そのエンコーダが出力するパルスを検出するパルス検出回路を使用して、回転速度を検出する処理が簡単かつ確実に行われるようになる。
【図面の簡単な説明】
【図１】本発明の一実施の形態による装置の全体構成の例を示すブロック図である。
【図２】本発明の一実施の形態による装置のボリューム制御構成例を示すブロック図である。
【図３】本発明の一実施の形態による各音量制御モードでのステップ値とボリューム値との対応の例を示す説明図である。
【図４】本発明の一実施の形態によるボリュームカーブ特性の例を示す説明図である。
【図５】本発明の一実施の形態によるテーブル選択処理例を示すフローチャートである。
【図６】本発明の一実施の形態によるパルス速度に基づくデータ変更処理例を示すフローチャートである。
【図７】本発明の一実施の形態による変更モードの状態遷移例を示す説明図である。
【図８】本発明の一実施の形態によるテーブル切替時のデータ変更例を示す説明図である。
【図９】本発明の一実施の形態によるパルス出力とモードとの関係との例を示す説明図である。
【符号の説明】
１００…レシーバ装置、１０１…アンテナ、１０２…チューナ、１０３…セレクタ、１０４…アナログオーディオ入力端子、１０５…アナログ／デジタル変換器、１０６…デジタルシグナルプロセッサ（ＤＳＰ）、１０７，１０７Ｌ，１０７Ｒ…デジタル／アナログ変換器、１０８…ボリューム回路、１０９…増幅回路、１１０…スピーカ端子、１１１Ｌ，１１１Ｒ…スピーカ装置、１１４…ＩＥＥＥ１３９４方式のバスライン用インターフェース部、１２０…システムコントローラ（ＣＰＵ）、１２１…フラッシュメモリ、１２２…ＲＡＭ、１２３…デジタル／アナログ変換器（音量制御データ用）、１３１…操作部，１３２…ボリュームエンコーダ部、１３３…赤外線受光部
【図１】
0004474806.tif 000002
【図２】
0004474806.tif 000003
【図３】
0004474806.tif 000004
【図４】
0004474806.tif 000005
【図５】
0004474806.tif 000006
【図６】
0004474806.tif 000007
【図７】
0004474806.tif 000008
【図８】
0004474806.tif 000009
【図９】
0004474806.tif 000010